(57)【要約】【課題】首周りに隙間ができないように装着できるとともに、衣服の袖口が汚れることを防止でき、また、幼児用のスプーン等を携帯するのにも便利に利用することのできる、幼児用エプロンを提供する。【解決手段】エプロン本体２における襟元に沿って裏布４の上辺４ａを連結するとともに、この裏布４の上辺４ａに沿って絞込み可能に紐５を挿通し、裏布４をエプロン前面側に左右から二つ折りすることによって対向される裏布４の他の周辺同士をファスナ７などの接続手段で接続することで、この裏布４を、紐５が挿通された上辺４ａを絞込み可能な開口とする袋状に変形可能に構成してある。【選択図】        図５
2004162236.tif 000002
【特許請求の範囲】
【請求項１】
エプロン本体における襟元に沿って裏布の上辺を連結するとともに、この裏布の前記上辺に沿って絞込み可能に紐を挿通し、裏布をエプロン前面側に左右から二つ折りすることによって対向される裏布の他の周辺同士を接続手段で接続することで、この裏布を、紐が挿通された前記上辺を絞込み可能な開口とする袋状に変形可能に構成してあることを特徴とする幼児用エプロン。
【請求項２】
前記エプロン本体の上部左右に腕通し部を設けてある請求項１記載の幼児用エプロン。
【請求項３】
前記紐に絞込み移動可能な絞り玉を装着してある請求項１または２記載の幼児用エプロン。
【請求項４】
二つ折りした前記裏布の前記上辺を除く他の周辺を接続する接続手段を、スライダの移動によって開閉可能なファスナで構成してある請求項１〜３のいずれかに記載の幼児用エプロン。
【発明の詳細な説明】
【０００１】
【発明の属する技術分野】
本発明は、外出先で食事をする場合などに幼児に装着して使用するエプロンに関する。
【０００２】
【従来の技術】
幼児用のエプロンとしては、例えば、エプロン本体の上下に取り付けた首紐と腰紐とを、幼児の首部および腰部に巻き付けて結ぶよう構成したものが提案されている（特許文献１参照）。
【０００３】
【特許文献１】
特開２００１−３１６９０４
【０００４】
【発明が解決しようとする課題】
提案されている上記エプロンは、幼児の胸元にだけ装着するものであるから、身体を動かしているうちに、エプロンが左右にずれ動いて首周りに隙間ができやすく、この隙間に食べこぼした食物が入り込んで衣服を汚してしまうようなおそれがあった。
【０００５】
また、食事の後で汚れたエプロンをバッグなどにしまって持ち帰る場合、エプロンの汚れがバッグ内の収容物に付着するおそれもあり、使って汚れたエプロンはビニール袋などに入れてバッグに収容しなければならず、エプロンの携帯が煩わしいものとなっていた。
【０００６】
また、幼児は箸を使えないのでスプーンなどが必要となるが、幼児用の食器を備えていない大人専用の飲食店などに幼児連れで入って食事をするような場合には、幼児にとっては使い勝手の悪い大人用の食器で食事をさせなければならないことがある。
【０００７】
本発明は、このような実情に着目してなされたものであって、首周りに隙間ができないように装着できるとともに、衣服の袖口が汚れることを防止でき、また、幼児用のスプーン等を携帯するのにも便利に利用することのできる、幼児用エプロンを提供することを目的とする。
【０００８】
【課題を解決するための手段】
本発明では、上記目的を達成するために、次のように構成している。
【０００９】
すなわち、請求項１に係る発明の幼児用エプロンは、エプロン本体における襟元に沿って裏布の上辺を連結するとともに、この裏布の前記上辺に沿って絞込み可能に紐を挿通し、裏布をエプロン前面側に左右から二つ折りすることによって対向される裏布の他の周辺同士を接続手段で接続することで、この裏布を、紐が挿通された前記上辺を絞込み可能な開口とする袋状に変形可能に構成してあることを特徴とする。
【００１０】
この構成によると、幼児に着けられたエプロンは、紐を絞り込んで襟元を詰めるので、襟元に隙間をあけることなくエプロンを着用させることができるとともに、エプロンの前面へのずれ動きがなくなる。
【００１１】
また、前面側に二つ折りした裏布の上辺を除く他の周辺を接続して袋状に変形することで、この袋状の裏布を収納ケースにして、その中に小さく畳み込んだエプロン本体を収容することができ、かつ、襟元絞込み用の紐を絞り込むことでこのを収納ケースの口を巾着状に絞ることができる。
【００１２】
また、裏布を利用した収納ケースの中には、幼児用のスプーンやフォークなどを収容して携帯することができる。
【００１３】
請求項２に係る発明の幼児用エプロンは、請求項１の発明において、前記エプロン本体の上部左右に腕通し部を設けてあるものである。
【００１４】
この構成によると、左右の腕通し部に両腕を通してエプロンを幼児に着けることで、エプロン本体のずれ動きを一層確実に防止できる。特に、腕通し部を長袖状にすると、衣服の袖口を汚すことが防止できる。
【００１５】
請求項３に係る発明の幼児用エプロンは、請求項１または２の発明において、前記紐に絞込み移動可能な絞り玉を装着してあるものである。
【００１６】
この構成によると、幼児の襟元でのエプロンの紐の絞り込み、および、エプロンを脱ぐ際の紐の緩め操作が絞り玉の移動だけで簡単に行える。
【００１７】
請求項４に係る発明の幼児用エプロンは、請求項１〜３のいずれかの発明において、二つ折りした前記裏布の前記上辺を除く他の周辺を接続する接続手段を、スライダの移動によって開閉可能なファスナで構成してあるものである。
【００１８】
この構成によると、エプロン使用時における裏布の展開、および、使用後に裏布を収納ケースに切り換える操作を、スライダ操作によって簡単に行える。
【００１９】
【発明の実施の形態】
以下、本発明の実施の態様を図面に基づいて説明する。
【００２０】
図１に、本発明に係るの幼児用エプロン１の正図図が、図２にその着用状態の斜視図が、また、図３に正面側から見た斜視図が、さらに、図４に裏面側から見た斜視図がそれぞれ示されている。
【００２１】
この幼児用エプロン１は、エプロン本体２の上部左右に長袖状の腕通し部３が備えられるとともに、エプロン本体２における襟元部の裏側に沿って、略矩形に形成された裏布４の上辺４ａが縫合連結され、この裏布４の上辺４ａに紐５が挿通されているとともに、この紐５の両端が絞り玉６に挿通されて紐５がループ状になっている。また、裏布４における下辺の中央から左右の周辺に亘ってファスナ７が装着されており、裏布４を左右中央で前面側に二つ折りして、その下辺および左右の周辺を対向重合させて、下辺中央のスライダ８を移動操作して対向重合する下辺および左右の周辺を接続することで、紐５が挿通された連結辺４ａを開口とする袋状に形成されるようになている。
【００２２】
なお、前記エプロン本体２は、こぼした食物の汁が沁み通って中の衣服に移らないように、樹脂シート、樹脂膜で裏うちされた樹脂引き布、などの液体が浸透しない素材で製作されるとともに、エプロン本体２における前面下端部には全幅に亘って、こぼれ落ちた食物を受けるポケット２ａが備えられている。
【００２３】
このように構成されたエプロン１は、図２に示すように、エプロン本体２が幼児の胸元に位置するように左右の腕通し部３に両腕を通すとともに、紐５のループ内に頭を通し、紐５に装着した絞り玉６を首の後側まで移動させて紐５を絞り込むことで、エプロン本体２の襟元部と幼児の首筋との間に大きい隙間がない状態で、かつ、衣服の袖口が汚れるのを腕通し部３で防止した状態でエプロン１を着用させることができる。
【００２４】
脱いだエプロン１は、以下のようにして収納することができる。つまり、図５（ａ）に示すように、先ず、エプロン本体２を裏布４上に小さく折り畳み、次に、図５（ｂ）に示すように、この畳んだエプロン本体２を抱き込むように、裏布４をその左右中央で前面側に二つ折りし、その下辺および左右の周辺を対向重合させ、スライダ８を移動操作して対向重合する下辺および左右の周辺を接続する。このようにすることで、図５（ｃ）に示すように、紐５が挿通された上辺４ａを開口とする袋状の収納ケース１０を形成して、この収納ケース１０の中に折り畳んだエプロン本体２を収納することができる。そして、絞り玉６を用いて紐５を絞り込むことで、エプロン本体２が収納された収納ケース１０の開口を巾着状に閉じることができる。
【００２５】
この場合、図５（ｃ）中に示すように、折り畳んだエプロン本体２と一緒に幼児用のスプーン１１やフォーク１２を収納ケース１０に入れておくことで、これら幼児用食器を収納ケース１０に入れて携帯することができる。
【００２６】
なお、本発明は、以下のような形態で実施することもできる。
【００２７】
（１）エプロン本体２に備える腕通し部３を長袖状にすると、衣服の袖口が汚れるのを防止できるとともに、エプロン本体２のずれ動きを抑制する機能を期待できるものであるが、袖なしあるいは半袖の衣服を着用する夏期などでは、長袖状の腕通し部３を備えたエプロンは、幼児が暑がって着用を嫌がりやすいので、夏季仕様として、腕通し部３を半袖程度の長さのもの、あるいは、単なる輪にして実施することもできる。また、簡易には、腕通し部３を備えない仕様で実施することもでき、この場合は、構成が簡単で安価なものとして提供できる。
【００２８】
（２）襟元の絞り込み操作が多少面倒にはなるが、前記裏布４の上辺４ａに挿通した紐５を、絞り込んで結ぶ形態で実施することもできる。
【００２９】
（３）エプロン本体２の下端左右から腰紐を延出して、幼児の身体に巻きつけて結ぶようにすると、エプロン本体２のずれ動きを一層確実に防止することができる。
【００３０】
（４）二つ折りした裏布４の下辺および左右の周辺を接続して袋状に形成するための接続手段として、前記ファスナ７に代えてホックや面ファスナを利用することもできる。
【００３１】
（５）紐５の絞り玉６より後側の一対の端部を連結してループ状として、ベビーカーのフック等に引っ掛けて運べるようにしてもよい。
【００３２】
【発明の効果】
以上の説明から明らかなように、本発明によれば以下に示すような効果が期待できる。
【００３３】
請求項１に係る発明によれば、着用した時に襟元を隙間なく締め込むことができ、襟元の隙間から入った食物で中の衣服を汚すことがなくなる。また、エプロン本体を折り畳んで、裏布を二つ折して形成した収納ケースに収納し、かつ、着用時に利用した紐を絞り込んで収納ケースの開口を閉じておくことができるので、使用後の汚れたエプロンをバッグなどに入れておく場合にも、エプロンの汚れがバッグ内の収容物に付着するようなことがなく、携帯に便利である。また、収納ケースは幼児用の食器を入れておくことができるので、外出先でも使い慣れた食器で食事をさせることができる。
【００３４】
請求項２に係る発明によれば、襟元を絞り込む上に、左右の腕通し部に両腕を通すことでエプロン本体のずれ動きを一層確実に防止でき、着衣が汚れるのを防止する効果が高いものとなる。特に、腕通し部を長袖状にすれば、着衣の袖口を汚すことが防止でき、便利に利用できるものとなる。
【００３５】
請求項３に係る発明によれば、着用したエプロンの襟元の絞り込み、および、裏布からなる収納ケースの開口の絞り込み、ならびに、その開放を、絞り玉のスライド移動によって簡単に行うことができ、使い勝手の優れたものとなる。
【００３６】
請求項４に係る発明によれば、裏布を収納ケースに変更する際の対向周辺の接続操作、ならびに、その接続を解除して収納ケースを展開開放する操作を、スライダの引き移動操作によって簡単かつ速やかに行うことができ、使い勝手の良いものとなる。
【図面の簡単な説明】
【図１】本発明に係る幼児用エプロンの正面図である。
【図２】着用状態の斜視図である。
【図３】幼児用エプロンの正面側から見た斜視図である。
【図４】幼児用エプロンの背面側から見た斜視図である。
【図５】収納手順を示す斜視図である。
【符号の説明】
２              エプロン本体
３              腕通し部
４              裏布
５              紐
６              絞り玉
７              ファスナ
８              スライダ
１０            収納ケース
【図１】
2004162236.tif 000003
【図２】
2004162236.tif 000004
【図３】
2004162236.tif 000005
【図４】
2004162236.tif 000006
【図５】
2004162236.tif 000007